(57)【要約】      （修正有）【課題】デンタルフロスを緊張させて、歯の間や歯茎をクリーニングすることができるデンタルフロス装置を提供する。【解決手段】デンタルフロス装置であって、デンタルフロスホルダーと、デンタルフロステンショナーとを含み、デンタルフロスホルダーは、ヘッド部と、把持部とを含み、ヘッド部は、４つの腕部を有し、デンタルフロステンショナーは、第１ギヤを有するヘッド部と、第２ギヤを有する把持部との間の回転を調節することで、又は把持部内の第３ギヤと協働するリガチャー柱を回転させることで、又は把持部に内蔵される溝内でリガチャー柱を移動させることで、デンタルフロスの緊張度を調節することができる。【選択図】図３Ｃ
0003214148.tif 000002
【実用新案登録請求の範囲】
【請求項１】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーをさらに含み、
前記ヘッド部と前記把持部とが相対回転可能で、前記デンタルフロステンショナーは、ヘッド部と把持部との間の回転を調節することによって前記デンタルフロスの緊張度を調節し、
前記ヘッド部内に第１ギヤが設けられ、前記把持部内に第２ギヤが設けられ、第１ギヤと第２ギヤとの協働によってヘッド部と把持部とが相対回転させられる、
ことを特徴とするデンタルフロス装置。
【請求項２】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーをさらに含み、
前記把持部内に第３ギヤが設けられ、前記リガチャー柱と前記第３ギヤとが協働し、リガチャー柱を回転させることで前記デンタルフロスの緊張度が調節される、
ことを特徴とするデンタルフロス装置。
【請求項３】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーがさらに含まれ、
前記デンタルフロステンショナーは、前記把持部に位置し、前記デンタルフロステンショナーは、把持部に対して移動可能で、前記デンタルフロステンショナーは、移動することによって前記デンタルフロスの緊張度を調節し、
前記把持部に溝が内蔵され、前記リガチャー柱は前記溝内を移動することができ、リガチャー柱を移動させることで前記デンタルフロスの緊張度が調節される、
ことを特徴とするデンタルフロス装置。
【請求項４】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含む、
ことを特徴とするデンタルフロス装置。
【請求項５】
前記デンタルフロスホルダーは、ヘッド部と、把持部と、を含み、前記ヘッド部が前記把持部の一端に位置することを特徴とする、
請求項４に記載のデンタルフロス装置。
【請求項６】
前記把持部に、デンタルフロスを固定ロックするためのリガチャー柱が設けられることを特徴とする、
請求項５に記載のデンタルフロス装置。
【請求項７】
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有することを特徴とする、
請求項６に記載のデンタルフロス装置。
【請求項８】
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、前記第３腕部と前記第４腕部とが後方に２３〜３８度曲がっていることを特徴とする、
請求項７に記載のデンタルフロス装置。
【請求項９】
前記デンタルフロス装置は、デンタルフロスがヘッド部に位置するように保つためのポジショナーをさらに含むことを特徴とする、
請求項５に記載のデンタルフロス装置。
【請求項１０】
前記ヘッド部と前記把持部とが相対回転可能で、前記デンタルフロステンショナーは、ヘッド部と把持部との間の回転を調節することによって前記デンタルフロスの緊張度を調節することを特徴とする、
請求項４から９のいずれか１項に記載のデンタルフロス装置。
【請求項１１】
前記デンタルフロステンショナーは、前記把持部に位置し、前記デンタルフロステンショナーは、把持部に対して回転可能で、前記デンタルフロステンショナーは、回転することによって前記デンタルフロスの緊張度を調節することを特徴とする、
請求項４から９のいずれか１項に記載のデンタルフロス装置。
【請求項１２】
前記デンタルフロステンショナーは、前記把持部に位置し、前記デンタルフロステンショナーは、把持部に対して移動可能で、前記デンタルフロステンショナーは、移動することによって前記デンタルフロスの緊張度を調節することを特徴とする、
請求項７から９のいずれか１項に記載のデンタルフロス装置。
【請求項１３】
前記ヘッド部内に第１ギヤが設けられ、前記把持部内に第２ギヤが設けられ、第１ギヤと第２ギヤとの協働によってヘッド部と把持部とが相対回転させられることを特徴とする、
請求項１０に記載のデンタルフロス装置。
【請求項１４】
前記把持部に第３ギヤが内蔵され、前記リガチャー柱と前記第３ギヤとが協働し、リガチャー柱を回転させることで前記デンタルフロスの緊張度が調節されることを特徴とする、
請求項１１に記載のデンタルフロス装置。
【請求項１５】
前記把持部に溝が内蔵され、前記リガチャー柱は前記溝内を移動することができ、リガチャー柱を移動させることで前記デンタルフロスの緊張度が調節されることを特徴とする、
請求項１２に記載のデンタルフロス装置。
【請求項１６】
デンタルフロス装置であって、
デンタルフロスホルダーを含み、
前記デンタルフロスホルダーは、ヘッド部を含み、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、前記第３腕部と前記第４腕部とが後方に２３〜３８度曲がっている、
ことを特徴とするデンタルフロス装置。
【請求項１７】
デンタルフロスホルダーに連なって、前記デンタルフロスホルダーに固定されるデンタルフロスの緊張度を調節するためのデンタルフロステンショナーをさらに含むことを特徴とする、
請求項１６に記載のデンタルフロス装置。
【考案の詳細な説明】
【技術分野】
【０００１】
本願は、口腔清掃用具に関するもので、具体的には、デンタルフロス装置に関するものである。
【背景技術】
【０００２】
デンタルフロスで歯をクリーニングすることができる。しかし、デンタルフロスを使用する際、例えば、使用が難しい、手が痛くなる、不便である、見苦しい、不衛生であるというような問題に直面する。現在、市場で購入されるデンタルフロス棒の多くは使い捨てであるため、使い捨てのデンタルフロス棒が使用されると、無駄や環境汚染などが生じやすい。現在のデンタルフロス棒の多くは、１本のデンタルフロスしか提供していないので、様々な位置の歯や様々な歯並びの人のニーズを満たすことができていない。また、現在のデンタルフロス棒は、弛緩しやすく、歯と歯茎の汚れをクリーニングする上で望ましいものでなく、歯の菌膜を効果的に除去することも困難である。
【考案の概要】
【考案が解決しようとする課題】
【０００３】
本願で解決しようとする技術的課題は、従来技術の欠点に対処するため、デンタルフロス装置を提供することである。
【課題を解決するための手段】
【０００４】
本願でこの技術的課題を解決するために採用する技術的思想は、次の通りである。デンタルフロスをその上に固定するためのデンタルフロスホルダーと、デンタルフロスホルダーに連なって、前記デンタルフロスホルダーに固定されるデンタルフロスの緊張度を調節するためのデンタルフロステンショナーと、を含むことを特徴とするデンタルフロス装置を構成する。
【０００５】
前記デンタルフロスホルダーは、ヘッド部と、把持部とを含み、前記ヘッド部は前記把持部の一端に位置する。
【０００６】
前記把持部に、デンタルフロスを固定ロックするためのリガチャー柱が設けられる。
【０００７】
前記ヘッド部は、第１腕部と、第２腕部と、第３腕部と、第４腕部とを有し、前記の第１腕部、第２腕部、第３腕部及び第４腕部の末端に、デンタルフロスを固定するためのフロス溝を有する。
【０００８】
前記第１腕部と前記第２腕部との間の角度は７０〜８５度で、前記第１腕部と前記把持部との間の角度は１２５〜１４０度で、前記第２腕部と前記把持部との間の角度は１２５〜１４０度で、前記第３腕部と前記把持部との間の角度は８０〜９５度で、前記第４腕部と前記把持部との間の角度は８０〜９５度であり、前記第３腕部と前記第４腕部とは後方に２３〜３８度曲がっている。
【０００９】
前記デンタルフロス装置は、デンタルフロスがヘッド部に位置するように保つためのポジショナーをさらに含む。
【００１０】
前記ヘッド部と前記把持部とは相対回転可能で、前記デンタルフロステンショナーは、ヘッド部と把持部との間の回転を調節することによって前記デンタルフロスの緊張度を調節する。
【００１１】
前記デンタルフロステンショナーは、前記把持部に位置し、前記デンタルフロステンショナーは、把持部に対して回転可能で、前記デンタルフロステンショナーは、回転することによって前記デンタルフロスの緊張度を調節する。
【００１２】
前記デンタルフロステンショナーは、前記把持部に位置し、前記デンタルフロステンショナーは、把持部に対して移動可能で、前記デンタルフロステンショナーは、移動することによって前記デンタルフロスの緊張度を調節する。
【００１３】
前記ヘッド部内に第１ギヤが設けられ、前記把持部内に第２ギヤが設けられ、第１ギヤと第２ギヤとの協働によってヘッド部と把持部とを相対回転させる。
【００１４】
前記把持部に第３ギヤが内蔵され、前記リガチャー柱と前記第３ギヤとが協働し、リガチャー柱を回転させることで前記デンタルフロスの緊張度が調節される。
【００１５】
前記把持部に溝が内蔵され、前記リガチャー柱が前記溝内を移動することができ、リガチャー柱を移動させることで前記デンタルフロスの緊張度が調節される。
【考案の効果】
【００１６】
本願のデンタルフロス装置を実施すると、次のような有益な効果がある。本願のデンタルフロス装置は、デンタルフロステンショナーによってデンタルフロスを効果的かつ容易に緊張させ、歯の間や歯茎に対するクリーニング効果を大いに高めることができ、歯の菌膜も効果的に除去することができる。
【００１７】
本願のデンタルフロス装置の４つの腕部は、角度に従って設けられる。これらの角度の設定によって、確実に最適な立体空間ができるようにして、デンタルフロスを使用する際に歯を収容するのに十分な空間を提供することができる。このデンタルフロス装置は、口腔内において多様な角度で使用することができるので、様々な位置の歯や様々な歯並びの人への使用に適している。このデンタルフロス装置は、ユーザーの歯のクリーニングをしやすくすることができ、ユーザーは、様々な位置の歯を快適にクリーニングすることができるようになる。
【図面の簡単な説明】
【００１８】
以下、図面及び実施例と関連付けて本願についてさらに説明する。図面は、それぞれ次の通りである。
【図１】本願の実施例１におけるデンタルフロス装置の構造模式図
【図２Ａ】本願の実施例１におけるデンタルフロス装置の断面模式図
【図２Ｂ】本願の実施例１におけるデンタルフロス装置の構造分解模式図
【図３Ａ】本願の実施例１におけるデンタルフロス装置の使用状態模式図
【図３Ｂ】本願の実施例１におけるデンタルフロス装置の使用状態模式図
【図３Ｃ】本願の実施例１におけるデンタルフロス装置の使用状態模式図
【図４Ａ】本願の実施例１におけるデンタルフロス装置の好適な角度設定を示す図
【図４Ｂ】本願の実施例１におけるデンタルフロス装置の好適な角度設定を示す図
【図４Ｃ】本願の実施例１におけるデンタルフロス装置の好適な角度設定を示す図
【図４Ｄ】本願の実施例１におけるデンタルフロス装置の好適な角度設定を示す図
【図５】本願の実施例１におけるデンタルフロス装置が歯に触れるときの模式図
【図６】本願の実施例２におけるデンタルフロス装置の構造模式図
【図７】本願の実施例２におけるデンタルフロス装置の構造分解模式図
【図８Ａ】本願の実施例２におけるデンタルフロス装置の使用状態模式図
【図８Ｂ】本願の実施例２におけるデンタルフロス装置の使用状態模式図
【図８Ｃ】本願の実施例２におけるデンタルフロス装置の使用状態模式図
【図９Ａ】本願の実施例３におけるデンタルフロス装置の使用状態模式図
【図９Ｂ】本願の実施例３におけるデンタルフロス装置の使用状態模式図
【図９Ｃ】本願の実施例３におけるデンタルフロス装置の使用状態模式図
【考案を実施するための形態】
【００１９】
本願の技術的特徴、目的及び効果がより明確に理解されるように、ここで図面と照らし合わせて、本願を具体的に実施するための形態について詳細に説明する。
【００２０】
図１〜図９Ｃに示すように、デンタルフロス装置は、デンタルフロスをその上に固定するためのデンタルフロスホルダーと、デンタルフロスホルダーに連なって、デンタルフロスホルダーに固定されるデンタルフロスの緊張度を調節するためのデンタルフロステンショナーと、を含む。本願のデンタルフロステンショナーでは、デンタルフロスを効果的かつ容易に緊張させることができ、その緊張力は普通に手で引っ張ってできるものでなく、歯の間や歯茎に対するクリーニング効果を大いに高め、歯の菌膜も効果的に除去することができる。
【実施例１】
【００２１】
図１は、本願の実施例１におけるデンタルフロス装置の構造模式図である。図２Ａは、本願の実施例１におけるデンタルフロス装置の断面模式図である。図２Ｂは、本願の実施例１におけるデンタルフロス装置の構造分解模式図である。図３Ａ〜図３Ｃは、本願の実施例１におけるデンタルフロス装置の使用状態模式図である。図４Ａ〜図４Ｄは、本願の実施例１におけるデンタルフロス装置の好適な角度設定を示すものである。図５は、本願の実施例１におけるデンタルフロス装置が歯に触れるときの模式図を示すものである。
【００２２】
図１に示すように、デンタルフロスホルダーは、ヘッド部１１と、把持部１４と、を含み、ヘッド部１１は把持部１４の一端に位置する。ヘッド部１１は、把持部１４から上方に曲がっていてもよい。ヘッド部１１の湾曲形状は、人間工学デザインに適ったものであり、ユーザーに快適に感じさせることができる。本願のデンタルフロス装置を使用すると、指を口腔内に入れる必要がなく、衛生的である。また、本願のデンタルフロス装置は、使用も容易である。
【００２３】
図３Ａ、図３Ｂ及び図３Ｃに示すように、ヘッド部１１は、第１腕部１１１Ａと、第２腕部１１１Ｂと、第３腕部１１２Ａと、第４腕部１１２Ｂとを有し、第１腕部１１１Ａ、第２腕部１１１Ｂ、第３腕部１１２Ａ及び第４腕部１１２Ｂの末端には、デンタルフロスを固定するためのフロス溝１８０が設けられるようにする。
【００２４】
ヘッド部１１の第４腕部１１２Ｂ及び第２腕部１１１Ｂで、１区間目のデンタルフロスを緊張させるための第１空間を形成し、第２腕部１１１Ｂ及び第１腕部１１１Ａで２区間目のデンタルフロスを緊張させるための第２空間を形成し、ヘッド部１１の第１腕部１１１Ａ及び第３腕部１１２Ａで３区間目のデンタルフロスを緊張させるための第３空間を形成する。このようにして、立体的な、３本のそれぞれ異なる方向を有する１つのデンタルフロスユニットを形成することができる。
【００２５】
図４Ａ〜図４Ｄに示すように、第１腕部１１１Ａと第２腕部１１１Ｂとの間の角度を７０〜８５度とし、第１腕部１１１Ａと把持部１４との間の角度を１２５〜１４０度とし、第２腕部１１１Ｂと把持部１４との間の角度を１２５〜１４０度とし、第３腕部１１２Ａと把持部１４との間の角度を８０〜９５度とし、第４腕部１１２Ｂと把持部１４との間の角度を８０〜９５度とする。図４Ｄに示すように、第３腕部１１２Ａと第４腕部１１２Ｂとを後方に２３〜３８度曲げる。図５に示すように、これらの角度の設定によって、確実に最適な立体空間ができるようにして、デンタルフロスを使用する際に歯を収容するのに十分な空間を提供することができる。このデンタルフロスは、口腔内において多様な角度で使用することができるので、様々な位置の歯や様々な歯並びの人への使用に適している。このデンタルフロス装置は、ユーザーの歯のクリーニングをしやすくすることができ、ユーザーは、様々な位置の歯を快適にクリーニングすることができるようになる。
【００２６】
ヘッド部１１と把持部１４とを相対回転可能にし、デンタルフロステンショナーでヘッド部１１と把持部１４との間の回転を調節することで、デンタルフロスの緊張度が調節される。
【００２７】
図３Ｂに示すように、ヘッド部１１の下半部が２つの突起物３６を有するようにし、これら２つの突起物３６で１つの位置決めスリット１１３を形成することで、把持部１４が回転する際にデンタルフロスをヘッド部１１の間の位置に効果的に保つことができて、デンタルフロスが緊張するように助けるとともに、デンタルフロス装置を使用する際に生じる揺動を低減することができる。
【００２８】
図２Ａ及び図２Ｂに示すように、デンタルフロステンショナーは、ヘッド部１１及び把持部の内部に設けてもよい。具体的には、ヘッド部１１の底部に把持部１４との接続円筒１１４を設ける。接続円筒１１４内には、第１ギヤ１３を置くための１つの多角形の空間が確保される。第１ギヤ１３の頂部は、接続円筒１１４の多角形の凹入空間に嵌合することの可能な、多角形の柱１３１にする。第１ギヤ１３の底部は、単方向の歯車１３２にする。
【００２９】
把持部１４にリガチャー柱１９０が設けられる。把持部１４は、筒状で、第２ギヤ１４１が中に設けられる。第２ギヤ１４１は、第１ギヤ１３と協働することができ、第２ギヤも単方向のものである。
【００３０】
接続円筒１１４内に確保される空間に、弾性リング１２を置いてもよい。弾性リング１２は、第１ギヤ１３及び第２ギヤ１４１が回転する際に必要な空間を提供し、静止する際に制動作用を提供することもできるものである。接続円筒１１４の頂部には、ネジ１６を連結して取り付けるために用いるナット１１５が設けられる。
【００３１】
第１ギヤ１３、弾性リング１２及び第２ギヤ１４１の中央には円孔を確保し、ネジ１６が貫通することのできるようにする。ネジ１６は、把持部内で、円形リング１５、第２ギヤ１４１、第１ギヤ１３、弾性リング１２を貫通し、ナット１１５に締め付けられる。このようにして、ヘッド部１１と把持部１４とを固定することができる。円形リング１５は、把持部１４を回転させる際に摩擦力を低減して、回転をよりスムーズにすることができる。
【００３２】
把持部１４の底部には、さらに底キャップ１７を設けてもよい。底キャップ１７は、把持部１４の中空な部分を遮蔽して、美観と衛生を高めることができる。底キャップ１７には、フロスを洗浄したデンタルフロス装置にたまった汚れを流し去ることのできる脱水口１７１が設けられる。
【００３３】
図３Ａ〜図３Ｃに示すように、本願のデンタルフロスを使用するときは、約３０センチメートルのデンタルフロスを取って一端を親指で把持部に押さえつけ、もう一方の手でデンタルフロスを動かしてフロスを縛る動作をする。まず、把持部の頂部に突出した２つのリガチャー柱の間からデンタルフロスを突き抜けさせ、その後、リガチャー柱に沿ってアラビア数字の８の字を描くようにリガチャー柱に２周巻きつける。
【００３４】
デンタルフロスは、ヘッド部の中間部分の２つの突起物によって形成される位置決めスリットを貫通するように動かされる。さらに、ヘッド部の第１腕部１１１Ａ、第２腕部１１１Ｂ，第３腕部１１２Ａ及び第４腕部１１２Ｂのフロス溝１８０内にデンタルフロスを通し、その後、位置決めスリットに戻ってまた下方へ把持部のリガチャー柱１９０に向かうようにデンタルフロスを動かす。
【００３５】
さらに、リガチャー柱１９０に沿ってアラビア数字の８の字を描くようにリガチャー柱に２周巻きつけられ、残りのデンタルフロスがリガチャー柱にくくりつけられる。
【００３６】
両手でヘッド部１１と把持部１４とをそれぞれ握って、ヘッド部１１のデンタルフロスが十分な緊張力となるまで把持部を右方に回転させる。把持部１４には単方向のギヤが内蔵されていて、回転する際に逆転することがないため、デンタルフロスの緊張力を保つことができる。
【００３７】
図５に示すように、ヘッド部１１を口腔内に入れて、３本のそれぞれ異なる方向のデンタルフロスで歯の間や歯茎の汚れ、歯の菌膜をクリーニングする。人によって歯並びは多少異なるので、個々人の快適感に応じてそれぞれ異なる方向のデンタルフロスを使用してもよい。一般的に、例えば、切歯や犬歯のような前方の歯は、左右２本のフロスを用いてクリーニングすることが推奨される。口腔の奥に深く入り込んだ奥歯については、ヘッド部１１の頂部のデンタルフロスを用いてクリーニングすることができる。
【００３８】
歯の間や歯茎のクリーニングが完了した後、デンタルフロス装置を取り出し、デンタルフロス装置からデンタルフロスを取り外して捨て、デンタルフロス装置を適切にクリーニング、消毒し、その後、日陰で涼しい環境に置いて保管する。
【００３９】
本願のデンタルフロス装置は、１回の使用につき約３０センチメートルのデンタルフロスしか消耗しないので、経済的で環境にも優しい。
【実施例２】
【００４０】
図６は、本願の実施例２におけるデンタルフロス装置の構造模式図である。図７は、本願の実施例２におけるデンタルフロス装置の構造分解模式図である。図８Ａ〜図８Ｃは、本願の実施例２におけるデンタルフロス装置の使用状態模式図である。
【００４１】
図６〜図８Ｃに示すように、デンタルフロステンショナーを把持部１４に位置させ、デンタルフロステンショナーを把持部１４に対して回転可能にし、デンタルフロステンショナーが回転することによってデンタルフロスの緊張度を調節するようにする。
【００４２】
図７に示すように、本実施例において、把持部１４の内部を中空にして、第３ギヤを配置してもよい。リガチャー柱１９０の底部を第３ギヤに連結・協働させてもよい。図８Ａ〜図８Ｃに示すように、リガチャー柱１９０を回転させることでデンタルフロスの緊張度を調節することができる。
【実施例３】
【００４３】
図９Ａ〜図９Ｃは、本願の実施例３におけるデンタルフロス装置の使用状態模式図である。図９Ａ〜図９Ｃに示すように、デンタルフロステンショナーを把持部１４に位置させ、デンタルフロステンショナーを把持部１４に対して移動可能にし、デンタルフロステンショナーが移動することによってデンタルフロスの緊張度を調節するようにする。
【００４４】
本実施例においては、把持部１４に溝２００を設ける。リガチャー柱１９０は、溝２００内を移動することができる。リガチャー柱１９０を溝２００内で上から下に移動させることでデンタルフロスをさらに緊張させることができる。
【００４５】
上記の３つの実施例は、例示の形式でデンタルフロステンショナーについて説明したにすぎない。デンタルフロスの緊張度を調節することが実現可能なものであれば、さらに多くの他の形態のデンタルフロステンショナーであってもよい。
【００４６】
以上では、図面と関連付けて本願の実施例について説明したが、本願は、上述した具体的に実施するための形態に限定されるものではなく、上述した具体的に実施するための形態も、あくまで説明をするためのものであって、限定をするためのものではない。当業者であれば、本願の示唆の下、本願の趣旨及び請求項の保護する範囲から逸脱することなく、さらに多くの形態を案出することもできるが、これらもすべて本願の保護範囲に属するものである。
【図１】
0003214148.tif 000003
【図２Ａ】
0003214148.tif 000004
【図２Ｂ】
0003214148.tif 000005
【図３Ａ】
0003214148.tif 000006
【図３Ｂ】
0003214148.tif 000007
【図３Ｃ】
0003214148.tif 000008
【図４Ａ】
0003214148.tif 000009
【図４Ｂ】
0003214148.tif 000010
【図４Ｃ】
0003214148.tif 000011
【図４Ｄ】
0003214148.tif 000012
【図５】
0003214148.tif 000013
【図６】
0003214148.tif 000014
【図７】
0003214148.tif 000015
【図８Ａ】
0003214148.tif 000016
【図８Ｂ】
0003214148.tif 000017
【図８Ｃ】
0003214148.tif 000018
【図９Ａ】
0003214148.tif 000019
【図９Ｂ】
0003214148.tif 000020
【図９Ｃ】
0003214148.tif 000021
【手続補正書】
【提出日】平成29年10月31日(2017.10.31)
【手続補正１】
【補正対象書類名】実用新案登録請求の範囲
【補正対象項目名】全文
【補正方法】変更
【補正の内容】
【実用新案登録請求の範囲】
【請求項１】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーをさらに含み、
前記ヘッド部と前記把持部とが相対回転可能で、前記デンタルフロステンショナーは、ヘッド部と把持部との間の回転を調節することによって前記デンタルフロスの緊張度を調節し、
前記ヘッド部内に第１ギヤが設けられ、前記把持部内に第２ギヤが設けられ、第１ギヤと第２ギヤとの協働によってヘッド部と把持部とが相対回転させられる、
ことを特徴とするデンタルフロス装置。
【請求項２】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーをさらに含み、
前記把持部内に第３ギヤが設けられ、前記リガチャー柱と前記第３ギヤとが協働し、リガチャー柱を回転させることで前記デンタルフロスの緊張度が調節される、
ことを特徴とするデンタルフロス装置。
【請求項３】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含み、
前記デンタルフロスホルダーは、ヘッド部と、把持部と、を含み、前記ヘッド部が前記把持部の一端に位置し、前記把持部に、デンタルフロスを固定ロックするためのリガチャー柱が設けられ、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、
前記第３腕部と前記第４腕部とは後方に２３〜３８度曲がっていて、
前記デンタルフロス装置は、
デンタルフロスがヘッド部に位置するように保つためのポジショナーがさらに含まれ、
前記デンタルフロステンショナーは、前記把持部に位置し、前記デンタルフロステンショナーは、把持部に対して移動可能で、前記デンタルフロステンショナーは、移動することによって前記デンタルフロスの緊張度を調節し、
前記把持部に溝が内蔵され、前記リガチャー柱は前記溝内を移動することができ、リガチャー柱を移動させることで前記デンタルフロスの緊張度が調節される、
ことを特徴とするデンタルフロス装置。
【請求項４】
デンタルフロス装置であって、
その上にデンタルフロスを固定するためのデンタルフロスホルダーと、デンタルフロスホルダーに連なって、前記デンタルフロスホルダーに固定されるデンタルフロスの緊張度を調節するためのデンタルフロステンショナーと、を含む、
ことを特徴とするデンタルフロス装置。
【請求項５】
前記デンタルフロスホルダーは、ヘッド部と、把持部と、を含み、前記ヘッド部が前記把持部の一端に位置することを特徴とする、
請求項４に記載のデンタルフロス装置。
【請求項６】
前記把持部に、デンタルフロスを固定ロックするためのリガチャー柱が設けられることを特徴とする、
請求項５に記載のデンタルフロス装置。
【請求項７】
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有することを特徴とする、
請求項６に記載のデンタルフロス装置。
【請求項８】
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、前記第３腕部と前記第４腕部とが後方に２３〜３８度曲がっていることを特徴とする、
請求項７に記載のデンタルフロス装置。
【請求項９】
前記デンタルフロス装置は、デンタルフロスがヘッド部に位置するように保つためのポジショナーをさらに含むことを特徴とする、
請求項５に記載のデンタルフロス装置。
【請求項１０】
前記ヘッド部と前記把持部とが相対回転可能で、前記デンタルフロステンショナーは、ヘッド部と把持部との間の回転を調節することによって前記デンタルフロスの緊張度を調節することを特徴とする、
請求項５から９のいずれか１項に記載のデンタルフロス装置。
【請求項１１】
前記デンタルフロステンショナーは、前記把持部に位置し、前記デンタルフロステンショナーは、把持部に対して回転可能で、前記デンタルフロステンショナーは、回転することによって前記デンタルフロスの緊張度を調節することを特徴とする、
請求項６から８のいずれか１項に記載のデンタルフロス装置。
【請求項１２】
前記デンタルフロステンショナーは、前記把持部に位置し、前記デンタルフロステンショナーは、把持部に対して移動可能で、前記デンタルフロステンショナーは、移動することによって前記デンタルフロスの緊張度を調節することを特徴とする、
請求項７又は８に記載のデンタルフロス装置。
【請求項１３】
前記ヘッド部内に第１ギヤが設けられ、前記把持部内に第２ギヤが設けられ、第１ギヤと第２ギヤとの協働によってヘッド部と把持部とが相対回転させられることを特徴とする、
請求項１０に記載のデンタルフロス装置。
【請求項１４】
前記把持部に第３ギヤが内蔵され、前記リガチャー柱と前記第３ギヤとが協働し、リガチャー柱を回転させることで前記デンタルフロスの緊張度が調節されることを特徴とする、
請求項１１に記載のデンタルフロス装置。
【請求項１５】
前記把持部に溝が内蔵され、前記リガチャー柱は前記溝内を移動することができ、リガチャー柱を移動させることで前記デンタルフロスの緊張度が調節されることを特徴とする、
請求項１２に記載のデンタルフロス装置。
【請求項１６】
デンタルフロス装置であって、
デンタルフロスホルダーを含み、
前記デンタルフロスホルダーは、ヘッド部と、把持部と、を含み、
前記ヘッド部は、第１腕部と、第２腕部と、第３腕部と、第４腕部とを有し、前記第１腕部、前記第２腕部、前記第３腕部及び前記第４腕部の末端に、デンタルフロスを固定するためのフロス溝を有し、
前記第１腕部と前記第２腕部との間の角度が７０〜８５度で、前記第１腕部と前記把持部との間の角度が１２５〜１４０度で、前記第２腕部と前記把持部との間の角度が１２５〜１４０度で、前記第３腕部と前記把持部との間の角度が８０〜９５度で、前記第４腕部と前記把持部との間の角度が８０〜９５度であり、前記第３腕部と前記第４腕部とが後方に２３〜３８度曲がっている、
ことを特徴とするデンタルフロス装置。
【請求項１７】
デンタルフロスホルダーに連なって、前記デンタルフロスホルダーに固定されるデンタルフロスの緊張度を調節するためのデンタルフロステンショナーをさらに含むことを特徴とする、
請求項１６に記載のデンタルフロス装置。